(57)【要約】【課題】例えば、保持力を向上させたコネクタを提供する。【解決手段】コネクタは、第１のコンタクトが形成されたプラグハウジングと、プラグハウジングの両端に形成された係合部とを有するプラグと、第２のコンタクトを保持するレセプタクルハウジングと、レセプタクルハウジングの両端に形成されたホールドダウン部とを有するレセプタクルと、からなるコネクタであって、ホールドダウン部は、係合部を第１の方向に沿って挿入可能な、挿入開口部および内部空間と、係合部の内部空間への挿入に伴って弾性変形し、挿入される係合部を、所定位置において第１の方向と反対方向である第２の方向への動きを抑止するように保持する係止部と、係合部の、第１および第２の方向と直交する第３の方向への動きを抑止する壁部とを有し、係止部は、壁部から延在し、挿入開口部を拡開するように屈曲されて成る。【選択図】図７
2016100143.tif 000002
【特許請求の範囲】
【請求項１】
第１のコンタクトが形成されたプラグハウジングと、前記プラグハウジングの両端に形成された係合部とを有するプラグと、
第２のコンタクトを保持するレセプタクルハウジングと、前記レセプタクルハウジングの両端に形成されたホールドダウン部とを有するレセプタクルと、
からなるコネクタであって、
前記ホールドダウン部は、
前記係合部を第１の方向に沿って挿入可能な、挿入開口部および内部空間と、
前記係合部の前記内部空間への挿入に伴って弾性変形し、挿入される前記係合部を、所定位置において前記第１の方向と反対方向である第２の方向への動きを抑止するように保持する係止部と、
前記係合部の、前記第１および第２の方向と直交する第３の方向への動きを抑止する壁部とを有し、
前記係止部は、前記壁部から延在し、前記挿入開口部を拡開するように屈曲されて成る
コネクタ。
【請求項２】
前記ホールドダウン部は、
前記壁部と対向する側に形成された開口面を有する
請求項１に記載のコネクタ。
【請求項３】
前記レセプタクルハウジングは、少なくとも第１の辺部および第２の辺部を有する中空の枠状体として構成されて成り、
前記第２のコンタクトは、前記第３の方向および前記第３の方向と反対方向である第４の方向に弾性変形可能なように、前記第１の辺部および前記第２の辺部のそれぞれに保持されて成る
請求項１または２に記載のコネクタ。
【請求項４】
前記第２のコンタクトは、前記第１の方向に沿って略同一の方向を向くようにして、前記第１の辺部および前記第２の辺部のそれぞれに保持されて成る
請求項３に記載のコネクタ。
【請求項５】
前記係合部の前記内部空間への挿入に伴って、前記プラグハウジングの前記第１のコンタクトが、前記レセプタクルハウジングの前記第２のコンタクトを前記第４の方向に押下しつつ、該第２のコンタクトと接触する
請求項３または４に記載のコネクタ。
【請求項６】
前記係合部における、少なくとも前記係合部と前記係止部とが当接する箇所が金属により構成されて成る
請求項１乃至５のいずれか１項に記載のコネクタ。
【発明の詳細な説明】
【技術分野】
【０００１】
本発明は、コネクタに関する。
【背景技術】
【０００２】
従来、フレキシブルプリント配線板(ＦＰＣ(Flexible Printed Circuits))を接続するためのコネクタが提案されている（例えば、特許文献１を参照のこと）。特許文献１に記載のコネクタは、ＦＰＣに接続された突起部を、ハウジングに形成された案内溝に沿って水平方向に挿入し、案内溝内においてコンタクトの接触部が突起部に対して弾力的に圧接する構成を有している。
【先行技術文献】
【特許文献】
【０００３】
【特許文献１】特開２００５−６３９４８号公報
【発明の概要】
【発明が解決しようとする課題】
【０００４】
特許文献１においては、突起部をコンタクトによる押圧のみで保持する構成のため、保持力を大きくすることが困難である、という問題があった。また、ＦＰＣを含む突起部を抜去する際の飛び出しが発生するおそれがある、という問題があった。
【０００５】
したがって、本発明の目的の一つは、上記問題を解決し得る、新規かつ有用なコネクタを提供することにある。
【課題を解決するための手段】
【０００６】
上述した課題を解決するために、本発明の一の態様は、例えば、第１のコンタクトが形成されたプラグハウジングと、プラグハウジングの両端に形成された係合部とを有するプラグと、第２のコンタクトを保持するレセプタクルハウジングと、レセプタクルハウジングの両端に形成されたホールドダウン部とを有するレセプタクルと、からなるコネクタであって、ホールドダウン部は、係合部を第１の方向に沿って挿入可能な、挿入開口部および内部空間と、係合部の内部空間への挿入に伴って弾性変形し、挿入される係合部を、所定位置において第１の方向と反対方向である第２の方向への動きを抑止するように保持する係止部と、係合部の、第１および第２の方向と直交する第３の方向への動きを抑止する壁部とを有し、係止部は、壁部から延在し、挿入開口部を拡開するように屈曲されて成るコネクタである。
【発明の効果】
【０００７】
少なくとも一の実施形態によれば、プラグとレセプタクルとを嵌合させた際の保持力を大きくすることができる。また、プラグとレセプタクルとの嵌合を解除する際に、プラグが勢いよく飛び出してしまうことを防止できる。
【図面の簡単な説明】
【０００８】
【図１】図１Ａおよび図１Ｂは、本発明の一実施形態におけるコネクタを説明するための図である。
【図２】図２Ａおよび図２Ｂは、本発明の一実施形態におけるプラグを説明するための図である。
【図３】図３は、本発明の一実施形態におけるプラグを説明するための図である。
【図４】図４Ａおよび図４Ｂは、本発明の一実施形態における補強板を説明するための図である。
【図５】図５Ａおよび図５Ｂは、本発明の一実施形態におけるレセプタクルを説明するための図である。
【図６】図６Ａおよび図６Ｂは、レセプタクルに装着されるコンタクトの一例を説明するための図である。
【図７】図７は、本発明の一実施形態におけるホールドダウン部を説明するための図である。
【図８】図８Ａおよび図８Ｂは、プラグとレセプタクルとの嵌合動作の手順を説明するための図である。
【図９】図９Ａおよび図９Ｂは、プラグとレセプタクルとの嵌合動作の手順を説明するための図である。
【図１０】図１０Ａおよび図１０Ｂは、プラグとレセプタクルとの嵌合動作の手順を説明するための図である。
【図１１】図１１Ａおよび図１１Ｂは、プラグとレセプタクルとの嵌合状態を解除する手順を説明するための図である。
【図１２】図１２Ａおよび図１２Ｂは、プラグとレセプタクルとの嵌合状態を解除する手順を説明するための図である。
【発明を実施するための形態】
【０００９】
以下、本発明の実施形態について図面を参照しながら説明する。説明は以下の順序で行う。
＜１．一実施形態＞
＜２．変形例＞
但し、以下に示す実施形態等は、本発明の技術思想を具体化するための構成を例示するものであって、本発明は例示された構成に限定されるものではない。なお、特許請求の範囲に示される部材を、実施形態の部材に特定するものではない。特に、実施形態に記載されている構成部材の寸法、材質、形状、その相対的配置、上下左右等の方向の記載等は特に限定する旨の記載がない限りは、本発明の範囲をそれのみに限定する趣旨ではなく、単なる説明例にすぎない。方向の記載は特に断らない限り図面に向かう方向を基準に設定している。なお、各図面が示す部材の大きさや位置関係等は、説明を明確にするため誇張していることがある。また、図示が煩雑となることを防止するために、複数の同一の部材については、一部のみに参照符号を付す場合がある。さらに以下の説明において、同一の名称、符号については同一もしくは同質の部材を示しており、重複する説明を適宜省略する。見る方向によっては、参照符号が付された構成が図面に表れない場合がある。
【００１０】
＜１．一実施形態＞
「コネクタの概要について」
図１Ａおよび図１Ｂは、本発明の一実施形態におけるコネクタを説明するための斜視図である。コネクタ１は、例えばプラグ２とレセプタクル３とが嵌合されて成る。プラグ２がＦＰＣ４の図示しないコンタクトに接続されている。ＦＰＣ４は、例えば、絶縁性のある薄くて柔軟なポリイミド等のベースフィルムと銅箔等の導電性金属を貼り合わせた基材に回路を形成した基板である。
【００１１】
レセプタクル３は、その両端にホールドダウン部３１およびホールドダウン部３３を有している。ホールドダウン部３１は、例えば、端部に挿入開口３０１が形成されているとともに、挿入開口３０１に連通する内部空間３１０を有する中空の形状を成している。また、ホールドダウン部３１は、係止部の一例である、弾性変形可能な弾性係止片３１１を有している。弾性係止片３１１は、プラグ２およびレセプタクル３が嵌合した際に嵌合状態を維持するためのストッパー機構として機能する。ホールドダウン部３３は、ホールドダウン部３１と略同様の構成を有している。すなわち、ホールドダウン部３３は、例えば、端部に挿入開口３０３が形成されているとともに、挿入開口３０３に連通する内部空間３３０を有する中空の形状を成しており、弾性係止片３３１を有している。
【００１２】
プラグ２は、例えば略直方体状の係合部２１および係合部２２を有している。係合部２１は、ホールドダウン部３１の内部空間３１０に挿入可能な大きさ、形状とされている。また、係合部２２は、ホールドダウン部３３の内部空間３３０に挿入可能な大きさ、形状とされている。図１Ａおよび図１Ｂでは、係合部２１が内部空間３１０に、係合部２２が内部空間３３０にそれぞれ収納、保持された状態が示されている。
【００１３】
例えば、図１Ｂにおいて矢印により示す挿入方向に沿ってプラグ２を水平方向にスライド移動させる。そして、係合部２１を挿入開口３０１を介して内部空間３１０内に挿入し、係合部２２を挿入開口３０３を介して内部空間３３０内に挿入する。係合部２１および係合部２２が所定以上、挿入されると、係合部２１が所定位置において弾性係止片３１１により保持され、係合部２２が所定位置において弾性係止片３３１により保持され、プラグ２とレセプタクル３とが嵌合状態となる。プラグ２をレセプタクル３から抜去する際は、例えばプラグ２を垂直方向に押し下げることにより弾性係止片３１１および弾性係止片３３１によるロックを解除した後に、プラグ２を挿入方向と反対方向に移動させて抜去する。
【００１４】
「プラグの構成例について」
図２乃至図４を参照して、本発明の一実施形態におけるプラグ２について説明する。図２Ａ、図２Ｂおよび図３は、プラグ２の構成例を説明するための斜視図である。図４は、プラグ２が有する補強板２６の構成例を説明するための斜視図である。
【００１５】
プラグ２は、ハウジング（プラグハウジング）２３と、ハウジング２３に埋設された複数のコンタクトと、補強板２６とを備えている。ハウジング２３は、液晶ポリマー（ＬＣＰ(Liquid Crystal Polymer)）等の合成樹脂からなり、ＦＰＣ４の長手方向に奥行き方向を、ＦＰＣ４の幅方向に幅方向を有し、ＦＰＣ４の厚さ方向と同じ方向に厚さ方向をそれぞれ有しており、略板形状にモールド成形されている。
【００１６】
複数のコンタクトは、ハウジング２３の奥行き方向の各側面に、幅方向に沿って、それぞれ略等間隔で平行に配置されている。例えば、ハウジング２３の奥行き方向における奥側に複数のコンタクト２４ａが配置されており、手前側に複数のコンタクト２４ｂが配置されている。コンタクト２４ａおよびコンタクト２４ｂが第１のコンタクトの一例に対応している。各コンタクトは、ハウジング２３の所定面２３ａにおいて露出する接点部と、ＦＰＣ４側に露出して、ＦＰＣ４の導電性金属にはんだ付けされている接点部とを有する。ハウジング２３の所定面２３ａにおいて露出する接点部は、レセプタクル３のコンタクトの対応する接点部と接触するとともに、レセプタクル３のコンタクトを下方に押下する。
【００１７】
なお、レセプタクル３のコンタクトの形状に対応して、コンタクト２４ａおよびコンタクト２４ｂのそれぞれにおける接点部の露出領域を異なるようにしている。例えば、図２Ａに示すように、コンタクト２４ａの接点部の露出領域がコンタクト２４ｂの接点部の露出領域より大きくなるように設定している。但し、本発明の内容はこれに限定されるものではなく、コンタクト２４ａおよびコンタクト２４ｂの各接点部の露出領域が等しいものであってもよい。
【００１８】
ハウジング２３の奥行方向の中央付近には幅方向に沿って、補強板２６が埋め込まれている。図４Ａおよび図４Ｂに示すように、補強板２６は、例えば、長手方向の両端に突出部２６１および突出部２６２と、突出部２６１および突出部２６２を連結する連結部２６３とを備えている。突出部２６１、突出部２６２および連結部２６３は、金属製（例えば、ステンレス鋼）の板材により一体的に構成されている。
【００１９】
突出部２６１は、壁部２６１ａと、壁部２６１ａの両端から植立する側壁部２６１ｂおよび側壁部２６１ｃとを有しており、断面が略Ｍ字形状の形状とされている。突出部２６１は、壁部２６１ａ、側壁部２６１ｂおよび側壁部２６１ｃにより区画される空間を有しており、この空間に、側壁部２６１ｂの先端および側壁部２６１ｃの先端との間の対向間隙が連通している。壁部２６１ａの外側中央付近には凹部２６１ｄが形成されており、その裏面側には凹部２６１ｄに沿った凸部２６１ｅが形成されている。
【００２０】
突出部２６２は、壁部２６２ａと、壁部２６２ａの両端から植立する側壁部２６２ｂおよび側壁部２６２ｃとを有しており、断面が略Ｍ字形状の形状とされている。突出部２６２は、壁部２６２ａ、側壁部２６２ｂおよび側壁部２６２ｃにより区画される空間を有しており、この空間に、側壁部２６２ｂの先端および側壁部２６２ｃの先端との間の対向間隙が連通している。壁部２６２ａの外側中央付近には凹部２６２ｄが形成されており、その裏面側には凹部２６２ｄに沿った凸部２６２ｅが形成されている。
【００２１】
突出部２６１および突出部２６２の形状に対応して、連結部２６３に凸部および凹部が形成されている。すなわち、連結部２６３には、凹部２６１ｄおよび凹部２６２ｄと連続的に形成された凹部２６３ｄが形成されており、その裏面側には凸部２６１ｅおよび凸部２６２ｅと連続的に形成された凸部２６３ｅが形成されている。このように、補強板２６の全体にわたって凹凸を設けることにより、補強板２６の強度を向上させることができる。ただし、補強板２６の形状は所定の強度を発揮できるのであれば、その形状、材質等が特定のものに限定されることはない。
【００２２】
補強板２６は、導電性を有しており、接地プレートとして機能することにより、コネクタ１として組み立てられた際に、クロストーク等の通信障害の防止を図るように機能することができる。
【００２３】
図２Ａおよび図２Ｂに示すように、補強板２６の突出部２６１および突出部２６２は、ハウジング２３の幅方向の両端から突出している。ハウジング２３の幅方向の長さとＦＰＣ４の幅方向の長さとを略同一とした場合には、プラグ２がＦＰＣ４に固定されると図２Ａおよび図２Ｂに示すように、突出部２６１および突出部２６２がＦＰＣ４の幅方向の位置から飛び出る位置に配置される。
【００２４】
突出部２６１の内部の空間に、ハウジング２３と同一の素材の合成樹脂２７が充填されている。突出部２６２の内部の空間に、ハウジング２３と同一の素材の合成樹脂２８が充填されている。各突出部の内部における合成樹脂は、ハウジング２３を形成する際に一体成形することができる。すなわち、本発明の一実施形態では、突出部２６１およびその内部の合成樹脂２７により係合部２１が形成されている。また、突出部２６２およびその内部の合成樹脂２８により係合部２２が形成されている。換言すれば、本発明の一実施形態における係合部２１および係合部２２は、周面の少なくとも一部に金属の層がそれぞれ形成されている。
【００２５】
「レセプタクルの構成例について」
図５乃至図７を参照して、本発明の一実施形態におけるレセプタクル３について説明する。図５Ａおよび図５Ｂは、レセプタクル３の構成例を説明するための斜視図である。図６は、レセプタクル３が有するコンタクトの形状を説明するための斜視図である。図７は、レセプタクル３が有するホールドダウン部３１、３３を説明するための図である。
【００２６】
図５を参照してレセプタクル３の構成例について概略的に説明する。レセプタクル３は、ハウジング（レセプタクルハウジング）３５と、コンタクト（コンタクト３６およびコンタクト３７）と、ホールドダウン部３１と、ホールドダウン部３３とを有している。
【００２７】
ハウジング３５は、例えば、液晶ポリマー等の合成樹脂により形成される。ハウジング３５は、例えば、幅方向に２つの辺部（辺部３５ａおよび辺部３５ｂ）を、奥行き方向に２つの辺部（辺部３５ｃおよび辺部３５ｄ）を有する中空の枠状体として形成されている。辺部３５ａと辺部３５ｂとが対向しており、辺部３５ｃと辺部３５ｄとが対向している。なお、この例では、辺部３５ａおよび辺部３５ｂの長さが辺部３５ｃおよび辺部３５ｄの長さより長く設定されているがこれに限定されるものではない。ハウジング３５を枠状体として形成することにより箱状等により形成することに比べてハウジング３５を薄型化でき、その結果、コネクタ１の低背化を実現することができる。
【００２８】
ハウジング３５における長手方向の辺部（辺部３５ａおよび辺部３５ｂ）には、それぞれコンタクト３５、３６が複数、保持されている。辺部３５ａに対してコンタクト３６が保持される。コンタクト３６の個数および位置は、プラグ２におけるコンタクト２４ｂの個数および位置に対応している。辺部３５ｂに対してコンタクト３７が保持される。コンタクト３７の個数および位置は、プラグ２におけるコンタクト２４ａの個数および位置に対応している。コンタクト３５、３６が第２のコンタクトの一例に対応している。
【００２９】
図６Ａに示すように、コンタクト３６は、図示しない基板に接続するための接点部３６１と、辺部３５ａに保持される固定部３６２と、固定部３６２から延在し上方に向かって湾曲する湾曲部３６３と、湾曲部３６３から延在し垂直方向に弾性変形可能な弾性変形部３６４とを有しており、これらの各部が連続的に形成された構成を有している。
【００３０】
一方、図６Ｂに示すように、コンタクト３７は、図示しない基板に接続するための接点部３７１と、辺部３５ｂに保持される固定部３７２と、固定部３７２から延在し斜め上方に屈曲する屈曲部３７３と、屈曲部３７３から延在し垂直方向に弾性変形可能な弾性変形部３７４とを有しており、これらの各部が連続的に形成された構成を有している。
【００３１】
図５Ａに示すように、各コンタクトの弾性変形部がプラグ２の挿入方向（図５Ａにおける矢印により示している）に沿うように、略同一方向（奥側方向）を向くようにして整列、配置されている。これによりプラグ２をレセプタクル３に対してスムーズに装着することができるとともに、各コンタクトが水平方向等に異常に変形して損傷してしまうことを防止できる。
【００３２】
図７に示すように、ホールドダウン部３１、３３は、向き合った場合に鏡像の関係、つまり、それらの間の平面に関して対象の形状を成している。ホールドダウン部３１、３３およびハウジング３５は、例えばインサート成型により一体的に成型される。ホールドダウン部３１、３３は、例えば、銅合金材により概略、中空の角柱形状に形成されている。
【００３３】
ホールドダウン部３１、３３は、幅方向に延在する第１接続部３１３、３３３をそれぞれ有している。第１接続部３１３、３３３の端部には下方に向かってやや凹む凹部３１４、３３４が形成されている。凹部３１４、３３４の端部からは上方に向かって植立する側壁部３１５、３３５が形成されている。側壁部３１５、３３５の下側端部が、幅方向に延在する底壁部３１６、３３６に対して連続的に接続されている。このように、ホールドダウン部３１、３３の底面の一部のみに底壁部３１６、３３６が形成されており、第１接続部３１３、３３３の奥行き方向には底壁部が形成されておらず、底側空間３２５、３４５が形成されている。
【００３４】
側壁部３１５、３３５の上側の一部が、上面壁３１７、３３７に対して連続的に接続されている。上面壁３１７、３３７の例えば中央付近が、壁部の一例である、係止壁３１８および係止壁３３８として機能する。係止壁３１８、３３８と対向する底面側が開口面（上述した底側空間３２５および３４５）となっている。係止壁３１８、３３８の端部に対して弾性係止片３１１、３３１が連続的に接続されている。弾性係止片３１１、３３１は、例えば、係止壁３１８、３３８の端部から挿入開口３０１、３０３側に延在する板状部材が上方に向かって折り曲げられた基部３１１ａ、３３１ａを有している。さらに、基部３１１ａ、３３１ａの先端がホールドダウン部３１、３３の内部空間３１０、３３０に向かって折り返されることにより、折り曲げ部３１１ｂ、３３１ｂが形成されている。折り曲げ部３１１ｂ、３３１ｂの外側側面と、第１接続部３１３、３３３の上面とが対向している。
【００３５】
この例では挿入開口３０１、３０３を広げる（拡開する）ように弾性係止片３１１、３３１を上方に向かって屈曲させ誘い込み部を形成している。このため、プラグ２の係合部２１、２２をホールドダウン部３１、３３の内部に挿入し易くすることができる。さらに、この例では、第１接続部３１３、３３３における少なくとも挿入開口３０１、３０３側の周縁に面取り加工を施し、面取り部３２３、３４３を形成している。面取り部３２３、３４３を形成することにより、プラグ２の係合部２１、２２をホールドダウン部３１、３３の内部により挿入し易くしている。
【００３６】
上面壁３１７、３３７の端部が、下方に向かって植立する内壁部３２０、３４０に連続的に接続されている。内壁部３２０、３４０の端部が、幅方向にやや延在する第２接続部３２１、３４１に対して連続的に接続されている。第２接続部３２１、３４１は、端面に開口が形成されており、この開口に連通する切欠き３２２、３４２をそれぞれ有している。第２接続部３２１、３４１の上面がハウジング３５における辺部３５ｃ、３５ｄの底面にそれぞれ接続される。
【００３７】
「嵌合動作および嵌合解除についての動作説明」
次に、図８乃至図１２を参照して、プラグ２とレセプタクル３とを嵌合させる手順（嵌合動作）と、プラグ２とレセプタクル３との嵌合状態を解除する手順（嵌合解除）とについて説明する。なお、これらの図では、プラグ２およびレセプタクル３の一方側のみを図示する場合があるが、その場合には他方側にも図示されているものと同様の手順が適用される。
【００３８】
最初に、プラグ２の幅方向とレセプタクル３の幅方向とを整列させ両者を対向させた位置に配する。このとき、プラグ２をＦＰＣ４が上側に位置しハウジング２３が下側に位置するように配し、レセプタクル３の各ホールドダウン部の挿入開口がプラグ２の挿入方向に向くようにレセプタクル３を配する。なお、プラグ２の挿入方向が第１の方向の一例であり、第１の方向と反対の方向が第２の方向である。また、第１の方向および第２の方向に直交する第３の方向および第４の方向を規定し、一実施形態では第３の方向を上方として規定し第４の方向を下方として規定している。
【００３９】
そして、図８Ａおよび図８Ｂに示すように、プラグ２を挿入方向（この例では水平方向）に沿ってスライド移動させ、係合部２１を、挿入開口３０１を介してホールドダウン部３１の内部空間３１０内に挿入していく。具体的には、係合部２１の底面側（合成樹脂２７の箇所）を第１接続部３１３上に当接させ、第１接続部３１３上において係合部２１を摺動させつつ係合部２１を内部空間３１０内に挿入していく。
【００４０】
図９に示すように、プラグ２の移動に伴って、係合部２１がホールドダウン部３１の内部空間３１０内に進入するとともに、係合部２１の上面付近（突出部２６１の上面付近）が弾性係止片３１１の折り曲げ部３１１ｂの外側表面付近に当接する。プラグ２には、レセプタクル３のコンタクト（コンタクト３６、３７）が下方に向かって撓むことによる上面方向への荷重（復元力）が発生する。この上面方向への荷重に抗して係合部２１をホールドダウン部３１の内部空間に挿入していく。上面方向への荷重が係合部２１を介して弾性係止片３１１に伝達され、弾性係止片３１１が上面方向に向かって弾性変形する。このように、弾性係止片３１１を弾性変形させつつ、係合部２１をホールドダウン部３１の内部空間に挿入していく。
【００４１】
図１０に示すように、係合部２１を所定以上、ホールドダウン部３１の内部空間に挿入すると係合部２１の動きがロックされ、プラグ２とレセプタクル３とが嵌合状態となる。例えば、係合部２１を介した上面方向への荷重が弾性係止片３１１にかからない位置に係合部２１が挿入されると、弾性係止片３１１が初期の位置（弾性変形する前の位置）に戻り、弾性係止片３１１の先端が係合部２１の手前側側面付近に当接する。弾性係止片３１１により、係合部２１の挿入方向と反対方向への動きが抑止される。挿入方向と反対方向に係合部２１を抜去するには、弾性係止片３１１を変形させるだけの荷重が必要となりプラグ２を容易に抜去することができなくなる。すなわちプラグ２に対する保持力を大きくすることができる。
【００４２】
なお、プラグ２をスライド移動させることに伴って、係合部２１が第１接続部３１３上から底側空間３２５に移動する。しかしながら、レセプタクル３のコンタクト（コンタクト３６、３７）によりプラグ２に対して上面方向への荷重がかかるため、係合部２１が底側空間３２５から下方に落下することはない。また、係合部２１の上面方向の動きは係止壁３１８により係止される。
【００４３】
次に、プラグ２とレセプタクル３との嵌合状態を解除する手順（嵌合解除）とについて説明する。嵌合解除の際は、図１１に示すように、レセプタクル３のコンタクト（コンタクト３６、３７）による上面方向への荷重に抗してプラグ２を下方に向かって押し下げる。ここで、ホールドダウン部３１の底側には、底側空間３２５が形成されている。このため、プラグ２を押し下げることにより、係合部２１を折り曲げ部３１１ｂの先端より下方に移動させることができる。係合部２１が折り曲げ部３１１ｂの先端より下方に移動することで、嵌合状態が解除される。
【００４４】
嵌合状態が解除した後に、図１２に示すように、プラグ２を挿入方向と反対方向にスライドさせることにより、プラグ２をレセプタクル３から引き抜くことができる。ここで、保持力がかかった状態でプラグを抜去すると、抜去するための力が一定以上必要となり、また、抜去の際にプラグが勢いよく飛び出してしまうおそれがある。さらに、プラグが勢いよく飛び出してしまうことでプラグと周辺実装部品とが接触し、周辺実装部品が損傷するおそれがある。しかしながら、本発明の一実施形態では、プラグ２を一旦、押し下げロックを解除し、保持力がかからない状態でプラグ２をレセプタクル３から離脱させるため、上述した問題が生じることを防止できる。
【００４５】
また、本発明の一実施形態では、係合部２１の周面の少なくとも一部、具体的には、係合部２１が弾性係止片３１１と当接する箇所を金属により構成している。これにより、樹脂等により構成するのに比べて、係合部２１および弾性係止片３１１の接触により係合部２１が損傷することを防止できる。
【００４６】
＜２.変形例＞
以上、本発明の一実施形態について具体的に説明したが、本発明は、上述した一実施形態に限定されるものではなく各種の変形が可能である。
【００４７】
上述した一実施形態では、プラグ２を水平方向にスライドさせたが、レセプタクル３を水平方向にスライドさせてもよく、プラグ２およびレセプタクル３を水平方向にスライドさせてもよい。また、プラグ側のコンタクトはハウジングに埋設された構成に限定されるものではない。
【００４８】
本発明は、基板対基板を接続するためのコネクタ、基板対ＦＰＣを接続するためのコネクタ等として適用することができる。
【００４９】
上述の実施形態および変形例において挙げた構成、方法、工程、形状、材料および数値などはあくまでも例に過ぎず、必要に応じてこれと異なる構成、方法、工程、形状、材料および数値などを用いてもよい。また、実施形態および変形例における構成、方法、工程、形状、材料および数値などは、技術的な矛盾が生じない範囲において、互いに組み合わせることが可能である。
【００５０】
さらに、本発明を構成する各要素は、複数の要素を同一の部材で構成して一の部材で複数の要素を兼用する態様としてもよいし、逆に一の部材の機能を複数の部材で分担して実現することもできる。また、実施形態において説明された内容は、適宜、他の実施形態、変形例等に適用可能である。
【符号の説明】
【００５１】
１・・・コネクタ
２・・・プラグ
３・・・レセプタクル
２１，２２・・・係合部
３１，３３・・・ホールドダウン部
２３，３５・・・ハウジング
３５ａ，３５ｂ・・・辺部
３６，３７・・・コンタクト
３０１，３０３・・・挿入開口
３１０，３３０・・・内部空間
３１１，３３１・・・弾性係止片
３２５，３４５・・・底側空間
【図１】
2016100143.tif 000003
【図２】
2016100143.tif 000004
【図３】
2016100143.tif 000005
【図４】
2016100143.tif 000006
【図５】
2016100143.tif 000007
【図６】
2016100143.tif 000008
【図７】
2016100143.tif 000009
【図８】
2016100143.tif 000010
【図９】
2016100143.tif 000011
【図１０】
2016100143.tif 000012
【図１１】
2016100143.tif 000013
【図１２】
2016100143.tif 000014